(57)【特許請求の範囲】
【請求項１】
可動スイッチレバーが上下方向に作動することで、電力供給のオンおよびオフが切り換わる遮断器を備えた電源装置であって、
該可動スイッチレバーの側方に設けられ、当該電源装置をラックに固定するための固定手段と、
当該電源装置と前記ラックのコネクタとの活線挿抜を防止するためのインターロック手段とを備え、
前記インターロック手段は、前記可動スイッチレバーと前記固定手段との間をスライド可能に取り付けられ、
前記可動スイッチレバーがオン状態の時には、前記インターロック手段の左右方向のスライドが阻止され、該インターロック手段の左右方向の一方の端部が前記固定手段を覆うように位置して前記固定手段の操作が妨げられ、
前記可動スイッチレバーがオフ状態の時には、前記インターロック手段の左右方向のスライドが可能となり、該インターロック手段の他方の端部を前記可動スイッチレバーの可動領域に位置させることで、前記可動スイッチレバーの可動が阻止されるとともに、前記一方の端部による前記固定手段の覆いが解除され、前記固定手段の操作が可能となり、
前記固定手段は固定ネジを具備し、
前記可動スイッチレバーがオフ状態であるとともに、前記固定ネジが弛められて突出している時には、前記インターロック手段の前記一方の端部の端面が該固定ネジの側部に当接することによって、前記インターロック手段のスライドが阻止されることを特徴とする電源装置。
【請求項２】
可動スイッチレバーが上下方向に作動することで、電力供給のオンおよびオフが切り換わる遮断器を備えた電源装置であって、
該可動スイッチレバーの側方に設けられ、当該電源装置をラックに固定するための固定手段と、
当該電源装置と前記ラックのコネクタとの活線挿抜を防止するためのインターロック手段とを備え、
前記インターロック手段は、前記可動スイッチレバーと前記固定手段との間をスライド可能に取り付けられ、
前記可動スイッチレバーがオン状態の時には、前記インターロック手段の左右方向のスライドが阻止され、該インターロック手段の左右方向の一方の端部が前記固定手段を覆うように位置して前記固定手段の操作が妨げられ、
前記可動スイッチレバーがオフ状態の時には、前記インターロック手段の左右方向のスライドが可能となり、該インターロック手段の他方の端部を前記可動スイッチレバーの可動領域に位置させることで、前記可動スイッチレバーの可動が阻止されるとともに、前記一方の端部による前記固定手段の覆いが解除され、前記固定手段の操作が可能となり、
前記インターロック手段には、当該電源装置が前記ラックに収納される前において前記可動スイッチレバーがオン状態の時に、当該電源装置の前記ラックへの収納を禁止するストッパーが設けられ、
前記ストッパーが、当該電源装置が前記ラックに収納され前記可動スイッチレバーがオン状態において、前記インターロック手段のスライド方向で、前記インターロック手段の前記ラックの開口縁部よりも内側の部位から前記固定手段を避けて前記ラックの奥行き方向に延出する基端側延出部と、該基端側延出部から折曲して、前記開口縁部の背面側に回り込む曲げ部と、該曲げ部から折曲して、前記ラックの奥行き方向に延出する先端側延出部と、で構成され、
当該電源装置が前記ラックに収納される前の前記可動スイッチレバーがオン状態の時に、前記先端側延出部が前記開口縁部に前記ラックの奥行き方向から当接することで、当該電源装置の前記ラックへの収納が禁止されるとともに、前記可動スイッチレバーがオフ状態の時に、前記インターロック手段がスライドされ、前記ストッパーが前記開口縁部と当該電源装置との間の空間に配置された時に、当該電源装置の前記ラックへの収納が許容されることを特徴とする電源装置。
【請求項３】
前記可動スイッチレバーが設けられている面にパネルが取り付けられ、
前記インターロック手段は、前記パネルの取り付け面と前記パネルとの間にスライド可能に挟持されていることを特徴とする請求項１または２に記載の電源装置。
【請求項４】
前記インターロック手段の上端および下端には、後方に折曲した一対のスライド片が形成されるとともに、前記可動スイッチレバーが設けられている面には、上下一対の開口部が形成され、
前記インターロック手段は、前記一対のスライド片が前記一対の開口部に嵌合しつつスライドし、前記開口部の左右方向の開口幅によって、前記インターロック手段の最大可能スライド幅が制御されていることを特徴とする請求項１ないし３のいずれかに記載の電源装置。
【発明の詳細な説明】
【技術分野】
【０００１】
本発明は、遮断器を備えた電源装置のラック収納時における活線挿抜を防止するための技術に関する。
【背景技術】
【０００２】
電源装置は、通常、ラック内に収納されてラックのコネクタと接続され、該ラックのコネクタと各種電子機器などの負荷装置とが電気的に接続されることによって、負荷装置への電力供給を行っている。
このような電源装置は、例えば保守点検時や電源装置交換時には、ラックから引き出される。この際、電源装置の遮断器のスイッチがオフにされず、電源装置とラックのコネクタ間に電流が流れた状態であるにもかかわらず、電源装置がラックから引き出されてしまう、いわゆる「活線挿抜」が起こると、アーク放電が発生し、電源装置や負荷装置が故障したり、電源装置とラックのコネクタ間が溶着したりする場合があり、オペレータの安全面でも問題がある。
【０００３】
そこで、このような活線挿抜を防止するための技術が種々検討されている。
例えば特許文献１には、電子機器を内蔵する筐体ユニットの筐体側コネクタと、この筐体ユニットを収納するラックのラック側コネクタとが嵌合していない時には、外部電源とラック側コネクタとの接続を解除するインターロックスイッチが開示されている。
この例のインターロックスイッチは、図１４に示すように、インターロックスイッチ４１のオンとオフを切り換える可動片をラック３７内に備えている。そして、ラック３７に筐体ユニット３１が収納され、筐体側コネクタ３５とラック側コネクタ３０とが嵌合している時には、筐体ユニット３１の背面により可動片が押圧されて、インターロックスイッチ４１はオンとなる。そして、トランジスタ４４からコイル４６に電流が流れ、コイル４６の励磁でリレー４５がオンとなることにより、外部電源とラック側コネクタ３０とが接続される。一方、ラック３７から筐体ユニット３１が引き出され、可動片への押圧が解かれた場合には、インターロックスイッチ４１はオフとなり、外部電源とラック側コネクタ３０との接続も解除される。
【先行技術文献】
【特許文献】
【０００４】
【特許文献１】特開２００５−３０３２４４号公報
【発明の概要】
【発明が解決しようとする課題】
【０００５】
しかしながら、このようなインターロックスイッチは、電気的な回路により構成されたものであるため、誤作動や故障の懸念があった。
よって、より確実に、かつ、簡単な機構により、活線挿抜を防止できる電源装置の開発が求められていた。
【０００６】
本発明は上記事情に鑑みてなされたもので、活線挿抜を確実に、かつ簡単な機構で防止できる電源装置の提供を課題とする。
【課題を解決するための手段】
【０００７】
本発明の電源装置は、可動スイッチレバーが上下方向に作動することで、電力供給のオンおよびオフが切り換わる遮断器を備えた電源装置であって、該可動スイッチレバーの側方に設けられ、当該電源装置をラックに固定するための固定手段と、当該電源装置と前記ラックのコネクタとの活線挿抜を防止するためのインターロック手段とを備え、前記インターロック手段は、前記可動スイッチレバーと前記固定手段との間をスライド可能に取り付けられ、前記可動スイッチレバーがオン状態の時には、前記インターロック手段の左右方向のスライドが阻止され、該インターロック手段の左右方向の一方の端部が前記固定手段を覆うように位置して前記固定手段の操作が妨げられ、前記可動スイッチレバーがオフ状態の時には、前記インターロック手段の左右方向のスライドが可能となり、該インターロック手段の他方の端部を前記可動スイッチレバーの可動領域に位置させることで、前記可動スイッチレバーの可動が阻止されるとともに、前記一方の端部による前記固定手段の覆いが解除され、前記固定手段の操作が可能となることを特徴とする。
前記固定手段は固定ネジを具備し、前記可動スイッチレバーがオフ状態であるとともに、前記固定ネジが弛められて突出している時には、前記インターロック手段の前記一方の端部の端面が該固定ネジの側部に当接することによって、前記インターロック手段のスライドが阻止されることが好適である。
前記可動スイッチレバーが設けられている面にパネルが取り付けられ、前記インターロック手段は、前記パネルの取り付け面と前記パネルとの間にスライド可能に挟持されていることが好適である。
前記インターロック手段の上端および下端には、後方に折曲した一対のスライド片が形成されるとともに、前記可動スイッチレバーが設けられている面には、上下一対の開口部が形成され、前記インターロック手段は、前記一対のスライド片が前記一対の開口部に嵌合しつつスライドし、前記開口部の左右方向の開口幅によって、前記インターロック手段の最大可能スライド幅が制御されていることが好適である。
前記インターロック手段には、当該電源装置が前記ラックに収納される前において前記可動スイッチレバーがオン状態の時に、当該電源装置の前記ラックへの収納を禁止するストッパーが設けられ、前記ストッパーが、当該電源装置が前記ラックに収納され前記可動スイッチレバーがオン状態において、前記インターロック手段のスライド方向で、前記インターロック手段の前記ラックの開口縁部よりも内側の部位から前記固定手段を避けて前記ラックの奥行き方向に延出する基端側延出部と、該基端側延出部から折曲して、前記開口縁部の背面側に回り込む曲げ部と、該曲げ部から折曲して、前記ラックの奥行き方向に延出する先端側延出部と、で構成され、当該電源装置が前記ラックに収納される前の前記可動スイッチレバーがオン状態の時に、前記先端側延出部が前記開口縁部に前記ラックの奥行き方向から当接することで、当該電源装置の前記ラックへの収納が禁止されるとともに、前記可動スイッチレバーがオフ状態の時に、前記インターロック手段がスライドされ、前記ストッパーが前記開口縁部と当該電源装置との間の空間に配置された時に、当該電源装置の前記ラックへの収納が許容されることが好適である。
【発明の効果】
【０００８】
本発明の電源装置によれば、活線挿抜を確実に、かつ簡単な機構で防止できる。
【図面の簡単な説明】
【０００９】
【図１】本発明の一実施形態例の電源装置の要部を示す斜視図である。
【図２】図１の電源装置の（ａ）分解斜視図、（ｂ）斜視図である。
【図３】図１の電源装置がラックに収納される様子を示す斜視図である。
【図４】図１の電源装置の（ａ）可動スイッチレバーがオン状態である要部斜視図、（ｂ）（ａ）の電源装置の上方からの模式的平面図である。
【図５】図１の電源装置の（ａ）可動スイッチレバーがオフ状態である要部斜視図、（ｂ）（ａ）の電源装置の上方からの模式的平面図である。
【図６】図１の電源装置の具備するインターロックプレートの（ａ）斜視図、（ｂ）平面図、（ｃ）正面図、（ｄ）側面図である。
【図７】図１の電源装置の要部を示す（ａ）斜視図、（ｂ）部分縦断面図である。
【図８】本発明の他の一実施形態例の電源装置を示す図であり、（ａ）可動スイッチレバーがオフ状態である電源装置の上方からの模式的平面図、（ｂ）可動スイッチレバーがオン状態である電源装置の上方からの模式的平面図である。
【図９】本発明のさらに他の一実施形態例の電源装置を示す図であり、（ａ）可動スイッチレバーがオフ状態である電源装置の上方からの模式的平面図、（ｂ）可動スイッチレバーがオン状態である電源装置の上方からの模式的平面図である。
【図１０】本発明のさらに他の一実施形態例の電源装置に設けられるインターロックプレートを示す図であり、（ａ）斜視図、（ｂ）平面図、（ｃ）正面図、（ｄ）側面図である。
【図１１】図１０に示すインターロックプレートを備える電源装置のラックへの収納状態を示す電源装置の要部斜視図であり、（ａ）は可動スイッチレバーがオン状態である場合の収納不可状態を示す電源装置の要部斜視図であり、（ｂ）は可動スイッチレバーがオフ状態である場合の収納過程を示す電源装置の要部斜視図であり、（ｃ）は可動スイッチレバーがオン状態である場合の収納状態を示す電源装置の要部斜視図である。
【図１２】図１０に示すインターロックプレートを備える電源装置の模式的平面図であり、（ａ）は可動スイッチレバーがオン状態である場合の収納不可状態を示す電源装置の模式的平面図であり、（ｂ）は可動スイッチレバーがオン状態である場合の収納状態を示す電源装置の上方からの模式的平面図である。
【図１３】図１２（ｂ）の一部の拡大図である。
【図１４】従来のインターロックスイッチを説明する回路ブロック図である。
【発明を実施するための形態】
【００１０】
以下、図面を参照しながら、本発明を詳細に説明する。
図１は、本発明の一実施形態例の電源装置の要部を示す斜視図であり、図２は、図１の電源装置の分解斜視図（ａ）と、全体を図示する斜視図（ｂ）である。また、図３は、図１の電源装置がラックＲに収納される様子を示す斜視図である。
この例の電源装置１０は、図３に示すように、ラックＲに収納、固定され、ラックＲの具備する図示略のコネクタと接続されることにより、このコネクタに接続された通信機器などの負荷装置に電力供給を行うものである。
【００１１】
図１に示すように、この電源装置１０は、遮断器１１を具備し、電源装置１０の正面に遮断器１１の可動スイッチレバー１２が配置されている。
可動スイッチレバー１２は、上下方向に作動することで、電源装置１０から負荷装置への電力供給のオンおよびオフが切り換わる３相式のもので、可動スイッチレバー１２が図１や図４（ａ）に示すように上方に位置している時は、電源装置１０から負荷装置への電源供給がオンとされ、可動スイッチレバー１２が図５（ａ）に示すように下方に位置している時は、電源装置１０から負荷装置への電源供給がオフとされる。
なお、図４（ｂ）および図５（ｂ）は、それぞれ図４（ａ）および図５（ａ）の状態にある電源装置を上方から見た模式的平面図である。
【００１２】
電源装置１０の正面、すなわち、可動スイッチレバー１２が設けられている面には、防火用の観点から、金属製のパネル１３が取り付けられている。このパネル１３の一部分は、可動スイッチレバー１２が露出するように、可動スイッチレバー１２に対応する部分が四角形にくり抜かれており、それにより、可動スイッチレバー１２をパネル外側から操作できるようになっている。
【００１３】
遮断器１１の可動スイッチレバー１２の一側方（図中左側）には、電源装置１０のラック収納時に、電源装置１０をラックＲに固定するための固定ネジ（固定手段）１４Ａ，１４Ａが上下２ケ所に設けられている。
図示例では、各固定ネジ１４Ａ，１４Ａは、バネおよびネジ部が内蔵されたパネルファスナであり、電源装置１０の正面一側方に突き出るように設けられたフランジ（装置固定部材）１５の図示略のネジ穴に取り付けられ、ネジ穴から脱落しないような構成となっている。電源装置１０のラック収納時には、これら固定ネジ１４Ａ，１４ＡをラックＲに形成された図示略の２つのネジ穴にそれぞれ螺合させることにより、電源装置１０をラックＲに固定できるようになっている。
【００１４】
そして、この電源装置１０は、該電源装置１０とラックＲのコネクタとの活線挿抜を防止するためのインターロック手段として、遮断器１１の可動スイッチレバー１２と固定ネジ１４Ａ，１４Ａとの間を左右方向（図１中矢印方向）にスライド可能に取り付けられた板状のインターロックプレート１６Ａを具備している。
【００１５】
この例のインターロックプレート１６Ａは、金属板から形成され、図６に示すように、その左右方向の一方の端部（固定ネジ側の端部）には前方に突出する高さＨの段差部１７が形成され、他方の端部（可動スイッチレバー側の端部）には、左右方向に延びる延出部１８が形成されている。延出部１８の先端は、前方に折曲して、このインターロックプレート１６Ａを左右方向にスライドさせる際の操作片１８ａとなっている。
また、インターロックプレート１６Ａの左右方向（幅方向）における略中央の上端および下端には、互いに平行となるように後方に折曲した一対のスライド片１９，１９が形成されている。
一方、可動スイッチレバー１２と固定ネジ１４Ａ，１４Ａとの間の電源装置１０の正面には、左右方向に延びる互いに平行な一対のガイドレール２０，２０が立設されている。
インターロックプレート１６Ａは、一対のスライド片１９，１９が一対のガイドレール２０，２０に沿って摺動することにより、左右方向にスライド可能に構成されている。
【００１６】
具体的には、図７に示すように、電源装置１０の正面を構成する正面板２２に一対のコ字状の切込みが入れられ、各切込みに囲まれた部分が前方に倒されることで一対のガイドレール２０，２０が形成されるとともに、一対の開口部２３，２３が形成されている。そして、インターロックプレート１６Ａの一対のスライド片１９，１９が、各ガイドレール２０，２０のそれぞれ外側に位置してガイドレール２０，２０に係合するとともに、各スライド片１９，１９の先端が開口部２３，２３に嵌合しつつスライドする。そのため、開口部２３，２３の左右方向の開口幅Ｗの範囲内で、スライド片１９，１９が左右方向に自在にスライドできるようになっている。この例では図４は、スライド片１９，１９が開口部２３，２３の最左端に位置した状態を示す図であり、図５はスライド片１９，１９が開口部２３，２３の最右端に位置した状態を示す図である。なお、図７においては、パネル１３の図示を略している。このように図示例では、開口部２３，２３の開口幅Ｗによって、インターロックプレート１６Ａの最大可能スライド幅が制御されている。
【００１７】
また、この例では、インターロックプレート１６Ａは、パネル１３と、パネル１３が取り付けられた取り付け面、すなわち正面板２２との間に、挟持されている。そのため、インターロックプレート１６Ａは、前方に倒れないようにされている。
【００１８】
この電源装置１０においては、次に説明する機構により、活線挿抜を確実に防止することができる。
すなわち、電源装置１０がラックＲに収納、固定されており、図４に示すように、可動スイッチレバー１２が上方に位置して、電力供給がオン状態にある時には、活線挿抜を防止するために、固定ネジ１４Ａ，１４Ａの操作が妨げられることが必要である。そこで、この電源装置１０においては、可動スイッチレバー１２が上方に位置する時には、インターロックプレート１６Ａの操作片１８ａが可動スイッチレバー１２に当接することにより、インターロックプレート１６Ａの図中右方向（可動スイッチレバー側）へのスライドが阻止され、インターロックプレート１６Ａの段差部１７が、固定ネジ１４Ａ，１４Ａのネジ頭を覆うように位置する構成とされている。そのため、可動スイッチレバー１２がオン状態であるにもかかわらず、オペレータが誤って固定ネジ１４Ａ，１４Ａを弛めようとしても、固定ネジ１４Ａ，１４Ａのネジ頭はインターロックプレート１６Ａの段差部１７により覆われているために、固定ネジ１４Ａ，１４Ａの操作が妨げられ、活線挿抜が確実に防止される。
なお、図４（ｂ）においては、インターロックプレート１６Ａの位置を解りやすく示すために、インターロックプレート１６Ａに斜線を付している。
【００１９】
一方、図５に示すように、可動スイッチレバー１２がオフ状態にある時には、可動スイッチレバー１２は下方に位置するため、インターロックプレート１６Ａの操作片１８ａは可動スイッチレバー１２に当接せず、オペレータは操作片１８ａをつまんで、インターロックプレート１６Ａを図中右方向にスライドさせて、インターロックプレート１６Ａの延出部１８を可動スイッチレバー１２の上方の可動領域に位置させることが可能となる。延出部１８がこのように位置することによって、可動スイッチレバー１２の上方向の可動が阻止されて、オペレータは可動スイッチレバー１２をオン状態にすることができなくなる。同時に、インターロックプレート１６Ａの段差部１７による固定ネジ１４Ａ，１４Ａの覆いは解除されるため、固定ネジ１４Ａ，１４Ａを弛める操作は可能となる。
なお、図５（ｂ）においても、インターロックプレート１６Ａの位置を解りやすく示すために、インターロックプレート１６Ａに斜線を付している。
【００２０】
また、この例のインターロックプレート１６Ａは、図５（ｂ）に示すように、可動スイッチレバー１２がオフ状態であって、固定ネジ１４Ａ，１４Ａが弛められて前方に突出している時には、インターロックプレート１６Ａを図中左方向（固定ネジ側）にスライドさせようとしても、その段差部１７の端面１７ａが固定ネジ１４Ａ，１４Ａの側部に当接するために、それ以降の図中左方向へのスライドが阻止されるようになっている。このように段差部１７の端面１７ａが固定ネジ１４Ａ，１４Ａの側部に当接している時には、延出部１８は可動スイッチレバー１２の上方の可動領域に位置するため、オペレータが可動スイッチレバー１２をオン状態にすることはできない。
【００２１】
以上説明したように、このような電源装置１０によれば、可動スイッチレバー１２がオン状態である時に、固定ネジ１４Ａ，１４Ａを弛めて電源装置１０をラックＲから引き出す誤操作が未然に防止される。
また、固定ネジ１４Ａ，１４Ａが弛められ、電源装置１０が固定されていない時、すなわち、電源装置１０とラックＲのコネクタとが接続していない時に、可動スイッチレバー１２をオン状態にする誤操作も未然に防止される。
【００２２】
また、このようなインターロックプレート１６Ａは、オペレータが操作片１８ａをつまむなどして左右方向にスライドさせるだけの簡単な操作で活線挿抜を阻止でき、電気的な回路により構成されたインターロック手段のように、誤作動や故障の懸念がない。
さらにこの例では、インターロックプレート１６Ａはオペレータの目が届く電源装置１０の正面に配置されているため、オペレータは終始インターロックプレート１６Ａの位置等を確認しながら、安全に作業を進めることができる。
【００２３】
なお、この例では、インターロックプレート１６Ａの一方の端部には、前方に突出する高さＨの段差部１７が形成されることによって、固定ネジ１４Ａ，１４Ａが電源装置１０をラックＲに固定している時には、段差部１７が固定ネジ１４Ａ，１４Ａのネジ頭を確実に覆えるようにされている。しかしながら、例えば図８に示すように、固定ネジ１４Ｂがパネルファスナではなく、通常の丸ネジなど、ネジ頭の高さが低く、段差部１７が形成されなくても覆える場合や、図示は略すが電源装置のフランジがやや後方に取り付けられていて、段差部１７が形成されなくても十分に固定ネジ１４Ｂを覆える場合などには、段差部のないインターロックプレート１６Ｂを採用することができる。あるいは、図９に示すように、段差部１７の高さの小さなインターロックプレート１６Ｃを採用することもできる。このように段差部の有無、高さなどは、適宜設定でき、特に制限はない。
なお、図８および図９において、インターロックプレート１６Ｂ，１６Ｃの位置を解りやすく示すために、インターロックプレート１６Ｂ，１６Ｃには斜線を付している。
【００２４】
また、以上の例で示したインターロックプレート１６Ａ，１６Ｂ，１６Ｃは、その他方の端部には、操作片１８ａが形成され、オペレータがインターロックプレート１６Ａ，１６Ｂ，１６Ｃを操作しやすい形態とされているが、インターロックプレート１６Ａ，１６Ｂ，１６Ｃの作用上の観点からは、必ずしも操作片１８ａは形成されなくてもよい。
【００２５】
また、以上の例では、図７に示したように、インターロックプレート１６Ａの両方のスライド片１９，１９がそれぞれ開口部２３，２３に嵌まり、それにより最大可能スライド幅が制御されているが、少なくとも一方のスライド片が開口部に嵌まっていて最大可能スライド幅が制可能とされていればよい。
また、固定手段としては、先に例示したパネルファスナ、丸ネジなどの他、ツマミを操作することにより、留め金がスライドする形態のスライド式固定具なども好適に使用される。
また、以上の例では、固定手段として、固定ネジ１４Ａ，１４Ａが上下に２個配置されているが、その個数等にも特に制限はない。
【００２６】
さらに以上の例では、遮断器１１の可動スイッチレバー１２として３相式のものを示したが、前方に突出したレバーを備え、そのレバーを上下方向に作動することで、電力供給のオンおよびオフが切り換わるものであれば、具体的な構成に制限はなく、可動スイッチレバーが下方に位置している時がオン状態であり、上方に位置している時がオフ状態となるようなものであってもよい。
また、可動スイッチレバー１２と固定手段との位置についても、これらが左右に位置していれば、どちらが右側または左側であってもよい。
【００２７】
また、電源装置には、例えば図２に示すように、電源装置１０の正面他側方等に、インターロックプレート１６Ａの関与を受けないさらに別の固定手段２１，２１を備えていてもよい。
【００２８】
次に、本発明の他の実施形態について説明する。図１０はインターロックプレート１６Ｄを示す図であり、図１０（ａ）は斜視図、（ｂ）は平面図、（ｃ）は正面図、（ｄ）は側面図を示す。前述のインターロックプレート１６Ａ〜Ｃと異なる点は、ストッパー２４を備える点である。なお、ストッパー２４を設けたことにより、前述の段差部１７を上下２つに分割し、固定ネジ１４Ａに相当する部分にそれぞれ段差部１７１，１７１が設けられている。機能的には前述の段差部１７と同じである。
【００２９】
図１０に示すように、ストッパー２４は、段差部１７１，１７１の間から、段差部１７１の突出方向とは反対側に延出されており、段差部１７１，１７１の間に基端を設定して延出する基端側延出部２４ａと、基端側延出部２４ａから折曲するストッパー曲げ部２４ｂと、ストッパー曲げ部２４ｂから折曲する先端側延出部２４ｃとを有し、先端側延出部２４ｃにストッパー端部２４ｄが設定される。ストッパー端部２４ｄは、後述するように、電源装置１０がオン状態に、電源装置１０をラックＲ（図３参照）に収納されることを阻止するものであり、電源装置１０の後部にあるコネクタとラックＲのコネクタとが接続できないように未然に防止する。
【００３０】
一方、ストッパー曲げ部２４ｂは、電源装置１０をラックＲに収納し、可動スイッチレバー１２をオンするためにインターロックプレート１６Ｄをスライドする際に、ラックＲの後述する架柱Ｒａとの干渉を避けるために形成されている。なお、ストッパー曲げ部２４ｂを設けることで、ラックＲの架柱Ｒａとの干渉を避けること以外に、電源装置１０をラックＲに収納した際、ストッパー曲げ部２４ｂがラックＲの架柱Ｒａにぶつかり、活線状態で誤って電源装置１０をラックＲから引き出すことを未然に防止することも可能となる。さらに言えば、ストッパー曲げ部２４ｂは、電源装置１０をラックＲに収納した際、固定ネジ１４Ａを完全に閉め付けていない場合など電源装置１０とラックＲとが固定されていない場合に、活線状態で誤って電源装置１０をラックＲから引き出すことを未然に防止できる。
【００３１】
図１１、図１２及び図１３を参照して、インターロックプレート１６Ｄを備える本実施形態の電源装置１０について説明する。図１１は電源装置１０のラックＲへの収納状態を示す要部斜視図である。図１１（ａ）は可動スイッチレバーがオン状態である場合の収納不可状態を示す電源装置１０の要部斜視図であり、（ｂ）は可動スイッチレバーがオフ状態である場合の収納過程を示す電源装置１０の要部斜視図であり、（ｃ）は可動スイッチレバーがオン状態である場合の収納状態を示す電源装置１０の要部斜視図である。
【００３２】
図１２は電源装置１０の上方からの模式的平面図である。図１２（ａ）は可動スイッチレバーがオン状態である場合の収納不可状態を示す電源装置１０の上方からの模式的平面図であり、（ｂ）は可動スイッチレバーがオン状態である場合の収納状態を示す電源装置１０の上方からの模式的平面図である。図１３は、図１２（ｂ）の一部の拡大図である。
【００３３】
図１１（ａ）において、可動スイッチレバー１２がオン状態、つまり、電力供給がオン状態にある場合には、インターロックプレート１６Ｄは図中左方向にスライドされている（図中、左方を示す矢印Ｌ参照）。この状態で、電源装置１０をラックＲに挿入しようとすると、ストッパー２４のストッパー端部２４ｄがラックＲの架柱Ｒａに当り、それ以上挿入できないようになる。これにより、図１２（ａ）に示すように、電源装置１０がオン時に電源装置１０の後部にあるコネクタ２５とラックＲのコネクタ２６とが電気的に接続できないように未然に防止される。そのため、コネクタ２５及び２６間でアーク放電が発生することによって過電流が流れることを防止でき、電源装置や負荷装置の故障、コネクタ間の溶着を防止することができる。なお、上述のラックＲの架柱Ｒａとは、ラックＲの電源装置１０の受入れ口である開口の縁部分を構成する部材であり、上下方向に延在する部材である。また、図１２においてＧは、電源装置１０をラックＲの奥行き方向に案内するガイドを示しており、このガイドＧはラックＲ内の電源装置１０の載置面から突出するように設けられたものである。
【００３４】
図１１（ｂ）において、可動スイッチレバー１２がオフ状態、つまり、電力供給がオフ状態にある場合には、インターロックプレート１６Ｄは図中右方向にスライドされている。この状態では、ストッパー２４のストッパー端部２４ｄがラックＲの架柱Ｒａに当ることなく電源装置１０をラックＲに収納することができる。すなわち、この状態では、ラックＲの奥行き方向に見て（正面視で）、ストッパー２４が架柱Ｒａと電源装置１０の外壁部との間の空間に配置されており、ストッパー２４が架柱Ｒａと干渉することなく、電源装置１０のラックＲへの収納が許容される。
【００３５】
なお、電源装置１０がラックＲに完全に収納されるまでは、インターロックプレート１６Ｄを矢印Ｌ方向にスライドさせようとしても、ストッパー２４の先端側延出部２４ｃの側面が架柱Ｒａの端面Ｒａａ（図１３参照）に当接してスライド動作が阻止される。そのため、電源装置１０とラックＲとが正常に接続されていない状態では、操作片１８ａによって、可動スイッチレバー１２をオン状態に可動させることができない。
【００３６】
そして、図１１（ｃ）において、電源装置１０がラックＲに収納され、可動スイッチレバー１２がオン状態、つまり、活線状態である場合には、インターロックプレート１６Ｄは図中左方向にスライドされている。この状態では、図１２（ｂ）に示すように、ストッパー２４のストッパー曲げ部２４ｂが、架柱Ｒａの背面側に回り込むように位置し、ストッパー曲げ部２４ｂと段差部１７１，１７１との間にラックＲの架柱Ｒａの一部が入り込む。つまり、図１３に示すように、ストッパー２４のストッパー曲げ部２４ｂと段差部１７１，１７１とで形成されるコの字状の空間にラックＲの架柱Ｒａの一部が入り込み、ストッパー曲げ部２４ｂと架柱Ｒａとが対向した状態となる。
【００３７】
このように、電源装置１０がラックＲに収納され、活線状態である場合には、誤って電源装置１０を引き出そうとしても、ストッパー２４のストッパー曲げ部２４ｂがラックＲの架柱Ｒａにぶつかり、電源装置１０をラックＲから引き出されることを未然に防止することができる。電源装置１０がラックＲに正常に収納されて、ストッパー曲げ部２４ｂの側面と架柱Ｒａとが対向している状態では、ストッパー曲げ部２４ｂの側面が架柱Ｒａに当接している必要はなく、多少の間隔があっても構わない。ただし、電源装置１０をラックＲから引き出そうとしたときに、ストッパー曲げ部２４ｂの側面が架柱Ｒａにぶつかり、電源装置１０のコネクタ２５がラックＲのコネクタ２６から抜けない程度の間隔に設定する必要がある。
【００３８】
ここで、図１３に示すように、ストッパー２４における基端側延出部２４ａは、インターロックプレート１６Ｄのスライド方向で、インターロックプレート１６ＤのラックＲの架柱Ｒａの端面Ｒａａよりも内側の部位（図中、１６Ｄａで示す部位）からフランジ１５１及び固定ネジ１４Ａ，１４Ａを避けてラックＲの奥行き方向に延出するように形成されている。このように基端側延出部２４ａを形成するとともに、基端側延出部２４ａからストッパー曲げ部２４ｂを折曲して形成することで、電源装置１０の収納後にインターロックプレート１６Ｄをスライドさせる際に、ストッパー２４がラックＲに干渉することなく、またインターロックプレート１６Ｄで固定ネジ１４ａ，１４ａを覆うことができる。なお、本実施形態では、前述のフランジ１５と同様にフランジ１５１に固定ネジ１４Ａ，１４Ａが固定されるが、フランジ１５１がストッパー２４の形成に対応して上下に分割される点が前述のフランジ１５と異なっている。
【００３９】
次に、図１０（ｂ）、図１２（ａ）及び（ｂ）を参照して、ストッパー２４の大きさについて説明する。ストッパー２４の基端部からストッパー曲げ部２４ｂまでの間隔（基端側延出部２４ａの長さ）ｈ１は、段差部１７１の段差の高さＨを考慮した上で設定する。つまり、段差部１７１の段差の高さＨとストッパー曲げ部２４ｂの間隔ｈ１の合計（Ｈ＋ｈ１）が、固定ネジ１４Ａのネジ頭の高さ、フランジ１５１の厚み及びラックＲの架柱Ｒａの厚みの合計よりも大きく、かつ、活線状態で電源装置１０をラックＲから引き出す力が加わったときに、ストッパー曲げ部２４ｂの側面がラックＲの架柱Ｒａにぶつかり、電源装置１０のコネクタ２５がラックＲのコネクタ２６から抜けない大きさとなるように、間隔ｈ１の長さを設定する。
【００４０】
また、ストッパー曲げ部２４ｂからストッパー端部２４ｄまでの間隔（先端側延出部２４ｃの長さ）ｈ２は、フランジ１５１が架柱Ｒａに当接している状態、つまり、フランジ１５１と架柱Ｒａとの間隔が実質ゼロの状態であり、電源装置１０のコネクタ２５とラックＲのコネクタ２６とが完全に電気的に接続された状態を基準として、フランジ１５１と架柱Ｒａとの間隔を所定の間隔に保つことができるように、ストッパー曲げ部２４ｂからストッパー端部２４ｄまでの間隔ｈ２を設定する。
【００４１】
また、上記の実施形態において、段差部１７１，１７１は、高さＨの段差を有しているが、固定ネジ１４Ａのネジ頭の高さによって、段差の有無、高さＨを適宜設定でき、特に制限はない。さらに、上記の実施形態において、ストッパー２４は、図６におけるインターロックプレート１６Ａの段差部１７の中央部を切り抜いて形成した２つの段差部１７１，１７１の間から形成されているが、ストッパー２４が形成される箇所及びその数は、これに制限されるものではない。例えば、図６に示す段差部１７の上端及び下端部を切り抜いて、それらの２箇所にそれぞれストッパー２４を形成してもよい。また、上記の実施形態では、横置きの電源装置１０として説明したが、これに限定されるものではなく、縦置きの電源装置にも同様に適用することができることは言うまでもない。
【００４２】
以上に記載したように本実施形態では、インターロックプレート１６Ｄに、電源装置１０がラックＲに収納される前において可動スイッチレバー１２がオン状態の時に、電源装置１０のラックＲへの収納を禁止するストッパー２４が設けられ、このストッパー２４が、電源装置１０がラックＲに収納され可動スイッチレバー１２がオン状態において、インターロックプレート１６Ｄのスライド方向で、インターロックプレート１６ＤのラックＲの開口縁部を構成する架柱Ｒａよりも内側の部位から固定ネジ１４Ａ，１４Ａを避けてラックＲの奥行き方向に延出する基端側延出部２４ａと、基端側延出部２４ａから折曲して、架柱Ｒａの背面側に回り込む曲げ部２４ｂと、曲げ部２４ｂから折曲して、ラックＲの奥行き方向に延出する先端側延出部２４ｃと、で構成されている。そして、この電源装置１０では、ラックＲに収納される前の可動スイッチレバー１２がオン状態の時に、先端側延出部２４ｃが架柱ＲａにラックＲの奥行き方向から当接することで、ラックＲへの収納が禁止されるとともに、可動スイッチレバー１がオフ状態とされ、この状態からインターロックプレート１６Ｄがスライドされて、ストッパー２４が架柱Ｒａと当該電源装置１０との間の空間に配置された時に、ラックＲへの収納が許容される。
【００４３】
このような構成によれば、電源装置１０がオン状態の時に、電源装置１０がラックＲに収納されることを阻止し、電源装置１０がオン状態で電源装置１０のコネクタ２５とラックＲのコネクタ２６とが接続されることを簡易な構成で防止できる。しかも、収納時にインターロックプレート１６Ｄを固定ネジ１４Ａ，１４Ａを覆う方向にスライドする際にラックＲの架柱Ｒａとの干渉を避けて固定ネジ１４ａ、１４ａを適正に覆うことができるように形成される曲げ部２４ｂが、電源装置１０収納時に、架柱Ｒａの背面側に位置して電源装置１０の引き抜きを阻止するため、活線状態における誤操作を防止できる。
【符号の説明】
【００４４】
Ｒ：ラック
１０：電源装置
１１：遮断器
１２：可動スイッチレバー
１３：正面パネル
１４Ａ，１４Ｂ：固定ネジ（固定手段）
１６Ａ〜１６Ｃ：インターロックプレート（インターロック手段）
１９：スライド片
２３：開口部
２４：ストッパー
【図１】
0005707240.tif 000002
【図２】
0005707240.tif 000003
【図３】
0005707240.tif 000004
【図４】
0005707240.tif 000005
【図５】
0005707240.tif 000006
【図６】
0005707240.tif 000007
【図７】
0005707240.tif 000008
【図８】
0005707240.tif 000009
【図９】
0005707240.tif 000010
【図１０】
0005707240.tif 000011
【図１１】
0005707240.tif 000012
【図１２】
0005707240.tif 000013
【図１３】
0005707240.tif 000014
【図１４】
0005707240.tif 000015